(57)【特許請求の範囲】
【請求項１】
ブース内を負圧に保って換気する換気手段を備え、この負圧換気下のブース内で被検査者から検査用の痰を採取する採痰ブースであって、
前記換気手段として、
ブース内採痰室へその天井部のほぼ全面から換気用空気を吹き出す天井吹出口と、
前記ブース内採痰室へ外部空気を取り入れる空気取入路と、
循環ファンにより前記ブース内採痰室から室内空気を吸入して、その吸入空気を換気用空気として前記天井吹出口に送る循環路と、
この循環路を通じて前記天井吹出口に送る空気を浄化する高性能フィルタと、
前記循環ファン及び前記高性能フィルタ夫々の介装箇所よりも下流側で前記循環路から分岐されて、前記ブース内採痰室からの吸入空気の一部を外部へ排出する分岐排気路とを設けてある採痰ブース。
【発明の詳細な説明】
【０００１】
【発明の属する技術分野】
本発明は病院などに設置する採痰ブースに関し、詳しくは、ブース内を負圧に保って換気する換気手段を備え、この負圧換気下のブース内で被検査者から検査用の痰を採取する採痰ブースに関する。
【０００２】
【従来の技術】
この種の採痰ブースでは、ブース内を負圧に保つことにより、痰の採取の際に飛散する菌がブース外に漏出するのを防止し、また、外部空気の導入を伴うブース内換気によりブース内を良好な雰囲気に保つようにするが、従来、この種の採痰ブースとしては、図３に示すように、循環ファン１０によりブース内採痰室２から室内空気ＲＡを吸入し、この吸入空気を循環路９及びブース内採痰室２の天井部全面にわたる高性能フィルタ１３を通じ換気用空気ＳＡとしてブース内採痰室２に吹き出し供給し、これに併行して、排気ファン１４によりブース内採痰室２の室内空気を排気路１５を通じ排気ＥＡとして外部へ排出するとともに、この空気排出により負圧化するブース内採痰室２へ空気取入路７を通じて外部の新鮮空気ＯＡを導入するようにしたものがある。
【０００３】
また、図４に示すように、排気ファン１４によりブース内採痰室２の室内空気ＲＡを排気路１５を通じ排気ＥＡとして外部へ排出するとともに、この排出空気を高性能フィルタ１６により浄化し、そして、この空気排出により負圧化するブース内採痰室２へ空気取入路７及び天井部全面にわたる天井吹出口５を通じて外部空気ＯＡを導入するようにしたものもある。
【０００４】
【発明が解決しようとする課題】
しかし、図３に示す前者の採痰ブースでは、循環路９を通じての空気循環において高性能フィルタ１３により浄化した空気ＳＡをブース内採痰室２の天井部全面から室内に吹き出し供給することから、ブース内採痰室２を負圧にしながらも、その室内清浄度を高く維持することができて、採取した検査用の痰がブース外部からの侵入菌により汚染されることを効果的に防止でき、この点、痰検査の正確性を高く維持できる利点があるが、循環ファン１０と排気ファン１４との二台のファンを要するため、装置コスト及びランニングコストが高く付く問題があり、また、室内の負圧化により外部への菌漏出を防止するものの、排気路１５を通じて外部へ排出する空気ＥＡに痰採取の際の飛散菌が含まれて周囲汚染を招く危険性があった。
【０００５】
一方、図４に示す後者の採痰ブースでは、ブース内採痰室２の負圧化及び高性能フィルタ１６による排気浄化により外部への菌漏出をほぼ確実に防止でき、また、ファンも排気ファン１４の一台だけですむ利点があるが、ブース内採痰室２において十分な室内気流を形成するに足りる大量の外部空気ＯＡ（すなわち、図３に示す採痰ブースでの循環路風量に相当する量の外部空気）を空気取入路７を通じ導入して、その導入外部空気ＯＡをブース内採痰室２の天井部全面から室内に供給するため、その大量の導入外部空気ＯＡとともにブース外部から侵入する菌により、採取した検査用の痰が汚染されて痰検査の検査結果に誤りを招く危険性が高い問題があった。
【０００６】
そしてまた、前者のものでは、改良として排気路１５にも高性能フィルタを介装することで外部への菌漏出を確実に防止することが考えられるが、この場合、採痰室天井部と排気路との二箇所に高性能フィルタが必要になって、高性能フィルタの配備箇所数が多くなることで、フィルタ交換のメンテナンス作業が煩雑になる問題が生じる。
【０００７】
また、後者のものでは、改良として空気取入路７ないし天井吹出口５にも高性能フィルタを配備することで外部からの菌侵入を防止することが考えられるが、この場合、単に高性能フィルタの配備箇所数が多くなるだけでなく、前記の如き大量の導入外部空気を浄化する高性能フィルタと、それと同量の大量排気を浄化する高性能フィルタとが、ブース内採痰室２に対する通気経路上で直列に並ぶ形態となって、ブース内採痰室２に対する全体としての通気抵抗が極めて大きくなり、この為、排気ファン１４に極めて強力なファンが必要になる、ないしは、空気取入路７にもファンの介装が必要になって二台のファンが必要になり、このことで装置コスト及びランニングコストが高く付く問題が生じる。
【０００８】
これらの実情に鑑み、本発明の主たる課題は、ブース内を負圧に保った状態で換気することにおいて、合理的な風路構成を採用することにより上記の如き問題を効果的に解消する点にある。
【０００９】
【課題を解決するための手段】
請求項１に係る発明では、採痰ブース内を負圧に保って換気する換気手段として、
ブース内採痰室へその天井部のほぼ全面から換気用空気を吹き出す天井吹出口と、
前記ブース内採痰室へ外部空気を取り入れる空気取入路と、
循環ファンにより前記ブース内採痰室から室内空気を吸入して、その吸入空気を換気用空気として前記天井吹出口に送る循環路と、
この循環路を通じて前記天井吹出口に送る空気を浄化する高性能フィルタと、
前記循環ファン及び前記高性能フィルタ夫々の介装箇所よりも下流側で前記循環路から分岐されて、前記ブース内採痰室からの吸入空気の一部を外部へ排出する分岐排気路とを設ける構成にする。
【００１０】
つまり、この構成では、上記循環路を通じての循環ファンによる空気循環において、ブース内採痰室からの吸入空気を高性能フィルタにより浄化し、この浄化空気を換気用空気として天井吹出口を通じブース内採痰室の天井部のほぼ全面からブース内採痰室の室内へ吹き出し供給する。
【００１１】
また、これに併行して、循環ファン及び高性能フィルタ夫々の介装箇所よりも下流側で循環路から分岐した分岐排気路を通じ、高性能フィルタにより浄化したブース内採痰室からの吸入空気の一部を、循環ファンの送風機能を利用して外部へ排出し、この空気排出により負圧化するブース内採痰室へ空気取入路を通じて外部の新鮮空気を導入する。
【００１２】
すなわち、請求項１に係る発明によれば、上記の如く、高性能フィルタにより浄化した空気をブース内採痰室の天井部のほぼ全面から室内へ吹き出し供給するから、先述の図３に示す採痰ブースと同様、ブース内採痰室を負圧にしながらも、その室内清浄度を高く維持することができて、採取した検査用の痰がブース外部からの侵入菌により汚染されることを効果的に防止でき、痰検査の正確性を高く維持することができる。
【００１３】
また、ブース内採痰室からの吸入空気を高性能フィルタにより浄化して、その浄化した吸入空気の一部を外部へ排出するから、ブース内採痰室の負圧化と相俟って、痰採取の際の飛散菌がブース外に漏出することをほぼ確実に防止でき、周囲汚染に対する安全性も高く確保することができる。
【００１４】
しかも、循環路に介装の循環ファンを外部への空気排出のための排気ファンに兼用する形態を採ることから、ファンの必要台数を少なくすることができ、また、循環路に循環ファンと高性能フィルタとを介装することから、先述の図４に示す採痰ブースにおいて空気取入路や天井吹出口にも高性能フィルタを配備する場合のように、ブース内採痰室に対する通気経路上で高性能フィルタが直列に並ぶ形態になってファンに強力なものが必要になるといったこともなく、これらの点で装置コスト及びランニングコストを安価にすることができる。
【００１５】
そしてまた、循環路に介装する高性能フィルタを、天井吹出口に対する送り空気用のフィルタと外部排出空気用のフィルタとに兼ねる形態を採ることから、高性能フィルタの配備箇所数を少なくすることができて、フィルタ交換のメンテナンス作業も容易にすることができ、これらのことから、先述の図３や図４に示す従来ブースに比べ、全体として一層優れた採痰ブースにすることができる。
【００１６】
なお、空気取入路は、外部空気をブース内採痰室へ直接に導入する風路、あるいは、循環路を通じて循環空気との合流状態で外部空気をブース内採痰室へ導入する風路のいずれであってもよく、特に、循環ファン及び高性能フィルタ夫々の介装箇所よりも上流側で循環路に空気取入路を接続する構成を採れば、空気取入路への高性能フィルタの付加配備を不要にしながら、導入外部空気の浄化も併せ行うことができる。
【００１７】
【発明の実施の形態】
図１は採痰ブースを示し、１はブース躯体、２はブース内に形成した採痰室であり、このブース内採痰室２で被検査者から検査用の痰を採取する。
【００１８】
３はブース内採痰室２の天井を形成する多孔板であり、この多孔板３の裏面側におけるブース内空間（天井裏空間）を給気チャンバ４として、ブース内採痰室２の天井部全面を上記多孔板３からなる天井吹出口５にし、給気チャンバ４に供給される換気用空気ＳＡを、この天井吹出口５からブース内採痰室２の室内全体に対し均一に吹き出し供給するようにしてある。
【００１９】
６はブース内採痰室２の室内下部に配置した空気取入口であり、この空気取入口６に接続の空気取入路７を通じて外部の新鮮空気ＯＡを空気取入口６からブース内採痰室２に導入する。
【００２０】
また、８は同じくブース内採痰室２の室内下部に配置した吸込口であり、この吸込口８と天井裏の給気チャンバ４とを接続する循環路９を設け、この循環路９に循環ファン１０及び高性能フィルタ１１（例えばＨＥＰＡフィルタ）を介装してある。
【００２１】
つまり、循環ファン１０により、ブース内採痰室２の室内空気ＲＡを吸込口８から吸入して、その吸入空気ＲＡを循環路９を通じ給気チャンバ４に送る空気循環を行い、この空気循環において、高性能フィルタ１１により浄化した空気ＲＡ′を換気用空気ＳＡとして天井吹出口５からブース内採痰室２に吹き出し供給することで、ブース内採痰室２の室内清浄度を高く保ち、これにより、ブース内採痰室２において被検査者からの採取痰が外部からの侵入菌により汚染されることを防止する。
【００２２】
１２は循環ファン１０及び高性能フィルタ１１夫々の介装箇所よりも下流側で循環路９から分岐した分岐排気路であり、循環路９において高性能フィルタ１１により浄化した空気ＲＡ′の一部を、循環ファン１０の送風機能を利用した状態で、この分岐排気路１２から排気ＥＡとして外部へ排出する。
【００２３】
すなわち、この空気排出によりブース内採痰室２を負圧状態に保つことで、また、高性能フィルタ１１による浄化済み空気ＥＡを外部へ排出することで、採痰の際にブース内採痰室２で飛散する菌が外部へ漏出することを防止し、そしてまた、この負圧化に伴い前記の空気取入路７を通じて外部の新鮮空気ＯＡをブース内採痰室２に取り入れる。
【００２４】
図中Ｖは風量調整ダンパであり、これらダンパＶによる各部の風量調整をもって、ブース内採痰室２の負圧化程度の調整や換気回数の調整を行う。
【００２５】
図２は、上記の図１に示す採痰ブースをパッケージ化（換言すればユニット化）して病院等への設置を容易にしたものを示し、ブース躯体としての箱体１の内部を、給気チャンバ４とする上層域ａと、その下部で採痰室２とする室域ｂと、上層域ａの下部で箱体１の一側壁寄りに配置した風路域ｃとの三域に区画し、上層域ａと室域ｂとの間は、天井吹出口５とする多孔板３により仕切ってある。
【００２６】
室域ｂと風路域ｃとを仕切る内壁ｄの下部には、室域ｂと風路域ｃとを連通させる下部連通口ｅを形成し、また、風路域ｃとその上部の上層域ａとは上部連通口ｆを通じて連通させ、これにより、下部連通口ｅを採痰室２に対する吸込口８にして、風路域ｃの内部を吸込口８と給気チャンバ４とを結ぶ循環路９にしてある。
【００２７】
風路域ｃの内部は隔壁ｇにより上下に仕切り、この隔壁ｇに形成の開口ｈにファン吐出口を上向きにして接続する形態で、循環ファン１０を風路域ｃに内蔵し、また、上記の上部連通口ｆをフィルタ取付用開口とする形態で、高性能フィルタ１１も風路域ｃに内蔵し、これにより、採痰室２とする室域ｂの域内空気ＲＡを風路域内蔵の循環ファン１０により吸込口８としての下部連通口ｅから風路域ｃに吸入し、その吸入空気を循環路９としての風路域ｃ及びフィルタ取付用開口としての上部連通口ｆを通じ給気チャンバ４としての上層域ａに送る空気循環を行い、この空気循環において風路域ｃから上層域ａに送る空気ＲＡ′（すなわち、天井吹出口５から採痰室２に吹き出す換気用空気ＳＡ）を風路域内蔵の高性能フィルタ１１により浄化する。
【００２８】
箱体１の側壁のうち風路域形成側の側壁の上部には、上層域ａを箱体１の外部に連通させる排気口ｉを形成し、また、箱体１の側壁のうち室域ａを形成する側壁の下部には、室域ａを箱体１の外部に連通させる空気取入口６を形成し、これにより、内蔵の高性能フィルタ１１を通過させて上層域ａに送った浄化空気ＲＡ′の一部を、内蔵循環ファン１０の送風機能を利用した状態で、また、排気口ｉを外部への分岐排気路１２とする形態で、排気口ｉから箱体１の外部に排出し、この空気排出により採痰室２としての室域ａを負圧状態に保つとともに、この負圧化に伴い、空気取入口６を外部空気に対する空気取入路７として、箱体外部の新鮮空気ＯＡを空気取入口６から採痰室２としての室域ａに導入する。
【００２９】
なお、ｊは通過風量の調整が可能な開口部装着器具である。
【００３０】
ｓ１は自動モードと連続モードとの切り替えを行う運転切替スイッチであり、自動モードの場合、被検査者は採痰室２への入室前に先ず運転スイッチｓ２をＯＮ操作する。運転スイッチｓ２がＯＮ操作されると循環ファン１０の運転が開始され、この開始から所定時間（例えば３０秒）が経過すると、採痰室２の室内が十分な清浄度に達したとして、入室可能ランプが点灯する。
【００３１】
被検査者は入室可能ランプの点灯を確認して採痰室２に入室し痰採取を行う。そして、痰採取が完了すると、被検査者は採痰室２内の終了スイッチｓ３をＯＮ操作する。
【００３２】
終了スイッチｓ３がＯＮ操作された後、所定時間（例えば６０秒）が経過すると、採痰の際の飛散菌は採痰室２からの空気排出により室内から十分に除去されたとして、退室可能ランプが点灯するとともに循環ファン１０の運転が停止され、被検査者は退室可能ランプの点灯を確認して採痰室２から退室する。
【００３３】
一方、連続モードの場合、運転スイッチｓ１をＯＮ操作すると、循環ファン１０の運転が開始されるとともに運転ランプが点灯する。
【００３４】
被検査者は運転ランプの点灯を確認して採痰室２に入室し痰採取を行う。そして、痰採取が完了すると、被検査者は採痰室２内の終了スイッチｓ３をＯＮ操作する。
【００３５】
終了スイッチｓ３がＯＮ操作された後、所定時間（例えば６０秒）が経過すると、採痰の際の飛散菌は採痰室２からの空気排出により室内から十分に除去されたとして、退室可能ランプが点灯し、被検査者は退室可能ランプの点灯を確認して採痰室２から退室する。なお、循環ファン１０の運転は運転切替スイッチｓ１を切操作するまで継続される。
【００３６】
つまり、自動モードは間欠使用において電力の消費及びフィルタの消耗を抑えるのに適した運転モードであり、連続モードは多人数が連続的に使用する場合において各者の待ち時間を短くするのに適した運転モードである。
【００３７】
〔別実施形態〕
空気取入路７に高性能フィルタを介装して、空気取入路７からブース内採痰室２へ導入する外部空気ＯＡを浄化するようにしてもよく、また場合によっては、空気取入路７に補助ファンを介装して、ブース内採痰室２の負圧状態を維持する範囲で、その補助ファンにより外部空気導入を補助するようにしてもよい。
【００３８】
上述の実施形態では、空気取入路７をブース内採痰室２に対する直接の接続風路にする例を示したが、これに代え、図１において破線で示す如く、循環ファン１０及び高性能フィルタ１１夫々の介装箇所よりも上流側で循環路９に空気取入路７′を接続するようにしてもよい。
【００３９】
また、分岐排気路１２の空気排出箇所までの施設長さが長くなる場合には、その分岐排気路１２に補助排気ファンを介装して空気排出を補助するようにしてもよい。
【図面の簡単な説明】
【図１】実施形態を示す採痰ブースの構成図
【図２】パッケージタイプの採痰ブースの構成図
【図３】採痰ブースの従来例を示す図
【図４】採痰ブースの他の従来例を示す図
【符号の説明】
２              ブース内採痰室
５              天井吹出口
７              空気取入路
９              循環路
１０            循環ファン
１１            高性能フィルタ
１２            分岐排気路
ＯＡ            外部空気
ＲＡ            室内空気
ＳＡ            換気用空気
【図１】
0003594509.tif 000002
【図２】
0003594509.tif 000003
【図３】
0003594509.tif 000004
【図４】
0003594509.tif 000005